(57)【特許請求の範囲】
【請求項１】
開口シャッター部が形成されるケーシング内に収納され、光ピックアップから射出される光により開口シャッター部を介して読出すことができる情報が記録される光ディスクと、前記光ディスクの盤面から突出して装着される払拭部とを備える光ピックアップレンズクリーナにおいて、
前記払拭部が前記光ディスクのクリーニング動作を行なうスキップ領域の端部に基部を植設され、先端方向を前記スキップ領域の内側へ向けて形成され、
前記光ディスクの盤面から突出する払拭部の先端が、前記光ディスクのクリーニング動作時に前記ケーシングの内壁に押圧状態で接触し、一方向に弾性的に曲げられることを
特徴とする光ピックアップレンズクリーナ。
【請求項２】
前記請求項１に記載の光ピックアップレンズクリーナにおいて、
前記払拭部が、発泡体又は弾性体の合成樹脂で形成されることを
特徴とする光ピックアップレンズクリーナ。
【発明の詳細な説明】
【０００１】
【発明の属する技術分野】
本発明は光ピックアップの対物レンズを清掃する光ピックアップレンズクリーナに関し、特にケーシング内に収納された光記録媒体に対して情報の記録又は読出しを行なう光ピックアップにおける対物レンズに接触する払拭部を改良した光ピックアップレンズクリーナに関する。
【０００２】
【従来の技術】
従来、この種の光ピックアップレンズクリーナとして実開平４−１３２６１９号公報に開示されるものがあり、これを図４に示す。この図４は従来の光ピックアップレンズクリーナにおける外観斜視図及びその要部拡大図である。
【０００３】
同図において従来の光ピックアップレンズクリーナは、光ピックアップに対向する光ディスク１の側面に回転方向と直交する払拭部２００を設け、この払拭部２００を形成するブラシ毛束２０１の基部を取付溝３００に挿通接着し、このブラシ毛束２０１が対面する光ピックアップの対物レンズと逆向きであり、且つ回転方向に沿うべく傾斜状に突出する構成である。
【０００４】
前記構成に基づく光ピックアップレンズクリーナは払拭部２００のブラシ毛束２０１の全体を所定方向に傾斜させることにより、対物レンズと接触しても負荷がかかることがないので、光ディスク１の回転が低下してもスムーズに清掃作業がなされると共に、格納場所が狭くてブラシ毛束２０１が図４（Ｃ）に示すように圧接されてもブラシ端部は正しく傾斜して変形することがない。
【０００５】
また、他の従来の光ピックアップレンズクリーナとして実用新案登録番号第３０２４０８３号公報に開示されるものがあり、これを図５に示す。この図５は従来の光ピックアップレンズクリーナにおける断面図である。
【０００６】
同図において従来の光ピックアップレンズクリーナは、光ピックアップの対物レンズ面を清掃する少なくとも１つのブラシ毛束２０１を光ディスク１の側面に設け、この光ディスク１をケーシング１００内に収納し、前記ブラシ毛束２０１の回転移動する軌跡に対応する前記ケーシング１００の内側壁に所定深さの凹部１０１を形成し、所定状態でこのブラし毛束２０１の先端がケーシング１００内側に当たらないようにする構成である。
【０００７】
このケーシング１００の内側壁に形成される凹部１０１の深さは、ブラシ毛束２０１をケーシング１００内でアッパーシェル１００ｂ側に押し上げた時に、ブラシ毛束２０１の先端が凹部１０１の底面に接しない程度に形成される。このようにリング状の凹部１０１により、光ディスク１がアッパーシェル１００ｂの内面に接している限り、ブラシ毛束２０１がローアーシェル１００ａに接触して寝かされてしまうことがなくなる。
【０００８】
【発明が解決しようとする課題】
従来の光ピックアップレンズクリーナは以上のように構成されていたことから、ブラシ毛束２０１の基部を光ディスク１に傾斜させて植設しなければならず、植設作業が複雑化して製造が困難となるという課題を有する。また、前記ブラシ毛束２０１の基部を傾斜させて植設するためには、光ディスク１の植設箇所を傾斜方向に広い幅Ｗ2の取付溝３００を形成しなければならず、この幅広い取付溝３００により光ピックアップの読取りエラーが発生してクリーニング動作に支障をきたし、クリーニング動作が実行できないという課題を有する。
【０００９】
また、他の従来の光ピックアップレンズクリーナは以上のように構成されていたことから、光ディスク１の盤面に植設されたブラシ毛束２０１がケーシング１００の内側壁に接触して折れ曲がるという課題はなくなるものの、クリーニング動作時にブラシ毛束２０１が光ピックアップの対物レンズに十分接触することができないという課題を有する。即ち、このブラシ毛束２０１は、ケーシング１００の内側壁に接触しないように形成されていることから、ケーシング１００に形成される開口シャッター部（図示を省略）からケーシング１００の外側まで突出させることができず、この開口シャッター部の外側に位置する光ピックアップの対物レンズに十分に接触することができなくなり、クリーニング動作を確実に行えないという課題を有する。
【００１０】
本発明は前記課題を解消するためになされたもので、製造を簡略化させると共に、クリーニング動作を確実且つ円滑に行なうことができる光ピックアップレンズクリーナを提供することを目的とする。
【００１１】
【課題を解決するための手段】
本発明に係る光ピックアップレンズクリーナは、開口シャッター部が形成されるケーシング内に収納され、光ピックアップから射出される光により開口シャッター部を介して読出すことができる情報が記録される光ディスクと、前記光ディスクの盤面から突出して装着される払拭部とを備える光ピックアップレンズクリーナにおいて、前記払拭部が前記光ディスクのクリーニング動作を行なうスキップ領域の端部に基部を植設され、先端方向を前記ステップ領域の内側へ向けて形成され、前記光ディスクの盤面から突出する払拭部の先端が、前記光ディスクのクリーニング動作時に前記ケーシングの内壁に押圧状態で接触し、一方向に弾性的に曲げられるものである。このように本発明においては、光ディスクの盤面に植設される払拭部をその先端がクリーニング動作時にケーシングの内壁に押圧状態で接触して一方向に弾性的に曲げられるように突出する長さで形成することにより、ケーシングの開口シャッター部において払拭部が開口領域からケーシングの外側まで突き出ることとなり、この突き出た払拭部が光ピックアップの対物レンズに十分接触してクリーニング動作を確実に行なう。特に、払拭部が開口シャッター部の端部から開口領域に向かって払拭部自体の弾性力により射出され、この射出時の衝撃力による強い摺設力でクリーニング動作を向上させる。また、払拭部が一方向にのみ弾性的に曲げられていることから、全体の弾性力が一方向に作用して折れ曲がりに対する強度を向上されることとなり、払拭部の必要以上の折れ曲がりを防止できると共に、払拭部のクリーニング作用を高く維持できる。
【００１３】
また、このように本発明においては、払拭部の植設方向をスキップ領域の端部から内部側へ向けて形成することにより、スキップ領域外への倒れ込みを防止できることとなり、スキップ領域に隣接するトラック領域におけるクリーニング動作の説明等を確実に読出して再生できることとなり、クリーニング動作を途中で中断することなく円滑に実行できる。
【００１４】
さらに、本発明に係る光ピックアップレンズクリーナは必要に応じて、払拭部が、発泡体又は弾性体の合成樹脂で形成されるものである。このように本発明においては、払拭部を発泡体、弾性体の合成樹脂で形成しているので、光ピックアップに対するクリーニング時における衝撃を極力抑制しつつ、光ピックアップの対物レンズに対する摺接を確実にしてよりクリーニング能力を向上させる。
【００１５】
【発明の実施の形態】
（本発明の一実施形態）
以下、本発明の一実施形態に係る光ピックアップレンズクリーナを図１及び図２に基づいて説明する。この図１（Ａ）は本実施形態に係る光ピックアップレンズクリーナの収納状態断面図、図１（Ｂ）は同図（Ａ）における光ピックアップレンズクリーナのクリーニング状態断面図、図２は図１に記載の光ピックアップレンズクリーナにおける払拭部の植設詳細構成図である。
【００１６】
同図において本実施形態に係る光ピックアップレンズクリーナは、前記図５に記載の光ピックアップレンズクリーナと同様に光ディスク１の光ピックアップに対向する側面に払拭部２（図５では２００に相当）を植設する構成とし、この払拭部２のブラシ毛束２１、２２（図５では２０１に相当）の植設構造を異にする構成である。この払拭部２は、前記光ディスク１の盤面に穿設される取付孔３にブラシ体で形成されるブラシ毛束２１、２２を植設してなり、このブラシ毛束２１、２２の先端が光ディスク１のクリーニング動作時にケーシング１００の内壁に押圧状態で接触するように構成される。このブラシ毛束２１、２２は、基部から直線状に延出するブラシ体の先端部分を前記光ディスク１の回転方向に対して順方向に湾曲させると共に、光ディスク１のクリーニング動作を行なうトラック２のスキップ領域の端部からスキップ領域の内側方向に向けて形成され、その基部を光ディスク１の取付穴３に垂直に植設される構成である。この取付穴３は、光ディスク１の情報読取り（又は書込み）側の側面に、前記ブラシ毛束２１の外形寸法にほぼ対応する大きさの開口穴が光ディスク１の側面に対して垂直に穿設される構成でる。
【００１７】
次に、前記構成に基づく本実施形態に係る光ピックアップレンズクリーナの製造動作及びクリーニング動作について説明する。
まず、マザーディスクからスタンパが作成され、このスタンパに基づいて圧縮成形（Compression Mold）方法、射出成形（Injection Mold）方法、２Ｐ（Photo Pelymarization）方法等により光ピックアップレンズクリーナ用の光ディスク１を作成する。この光ディスク１のプログラムエリアにおける例えばトラック１にはクリーニング動作についての説明を行なう説明情報が格納されており、この説明情報で特定される例えばトラック２をクリーニング領域のトラック２として形成する。なお、前記クリーニング動作の説明情報は、光ディスク１が追記可能な記録媒体又は書込みが可能な記録媒体である場合には、光ディスク１の完成後の任意のトラックに追記又は書込むこともできる。
【００１８】
この光ディスク１のクリーニング領域のトラック２に前記取付穴３を透明プラスチック基板１１の厚み以内の深さに光ディスク１の側面にほぼ垂直に穿設する。この穿設されたトラック１側（光ディスク１の外側）に隣接する取付穴３には払拭部２のブラシ毛束２１における基部が垂直に挿通され、光ディスク１におけるトラック２の外側に前記ブラシ毛束２１の先端が向くように固着される。また前記穿設されたトラック３側（光ディスク１の外側）に隣接する取付穴３には払拭部２のブラシ毛束２２における基部が垂直に挿通され、光ディスク１におけるトラック２の内側に前記ブラシ毛束２１の先端が向くように固着される。
【００１９】
この取付穴３内へのブラシ毛束２１の固着は、ブラシ毛束２１の基部、又は取付穴３内に予め接着剤を塗布しておき、取付穴３へブラシ毛束２１を挿通して行なう。また、接着剤等を用いることなく取付穴３へブラシ毛束２１を挿通した状態で、このブラシ毛束２１の基部を高周波加熱又はレーザ光等により溶着することにより、前記取付穴３内にブラシ毛束２１を固着することもできる。
【００２０】
このように光ディスク１の基板面に対してほぼ垂直に穿設された取付穴３に対して払拭部２のブラシ毛束２１を垂直方向に挿通して固着するようにしているので、簡略な動作で確実に植設を実行できることとなる。特に、ブラシ毛束２１の植設を作業用ロボット等で自動化して行なう場合には、光ディスク１の基板面の特定位置にロボットアームを移動させて、次にロボットアームを垂直な上下方向に上下動させることにより極めて簡易な動作で実行させることができる。
【００２１】
前記ブラシ毛束２１、２２が植設された光ディスク１を開口シャッター部１０４が形成されるケーシング１００内に収納する。このケーシング１００内で光ディスク１は、光ディスク１のブラシ毛束２１、２２が植設される盤面が開口シャッター部１０４が形成されるケーシング１００のローアーシェル１００ａの内壁に対向するように配設され、ブラシ毛束２１、２２の湾曲した先端がケーシング１００内のローアーシェル１００ａの内壁に押圧された状態で収納される構成である。
【００２２】
さらに、本実施形態に係る光ピックアップレンズクリーナのクリーニング動作については、操作者が光ディスクプレーヤに光ディスク１を装着すると同時に開口シャッター部１０４が開放状態となり、この開口シャッター部１０４の開口領域に光ピックアップの対物レンズ４が移動して動作を開始させる。この光ピックアップの対物レンズ４は、この光ディスク１のプログラムエリアにおける説明情報が格納されたトラック（例えばトラック１）を再生してこの説明情報を読出して出力する。この出力された説明情報に基づいて操作者が光ディスクプレーヤを操作すると、例えば、トラック２をスキップしてトラック１からトラック３へ移動させる。このトラック２のスキップ移動の際に前記先端部が湾曲したブラシ毛束２１が光ピックアップの対物レンズ４に摺接しつつクリーニング動作を実行する。
【００２３】
このブラシ毛束２１は、その先端部分を前記光ディスク１の回転方向に対して順方向に湾曲させて形成され、さらにトラック２の内側端部から外側方向に向かって配設されていることから、クリーニング動作の説明情報が格納されるトラック１への倒れ込みを防止できると共に、対物レンズ４へ摺接する場合にこの摺接当初に対物レンズ４への強い衝撃を極力抑制して摺接を開始させることとなり、光ディスクプレーヤのクリーニング動作説明情報の再生出力を確実に行ない、またスキップ動作不良を発生させることなく円滑且つ確実にクリーニングを行なうことができることとなる。また、前記ブラシ毛束２２も前記ブラシ毛束２１と同様に、その先端部分を湾曲させ、トラック２の外側端部から内側方向に向かって配設されていることから、クリーニングの後処理情報が格納されているトラック３への倒れ込みを防止できることとなり、クリーニング動作を最後まで確実に実行できる。
【００２４】
さらに、前記ブラシ毛束２１、２２が光ディスク１の回転方向に対して順方向に予め湾曲させて形成されていることから、クリーニング動作時における対物レンズ４への摺接又はケースに収納された状態においてブラシ毛束２１のケース内壁への接触の場合においても、予め湾曲させた方向へのみブラシ毛束２１、２２が湾曲させられることとなり、ランダムな方向への横倒れや花咲き状態となることを防止することができる。
【００２５】
特に、前記ブラシ毛束２１、２２がその基部を光ディスク１の透明プラスチック基板１１に垂直に植設して植設面積を極力小さく形成すると共に、その先端部のみを湾曲させる構成を採っていることから、光ピックアップの対物レンズ４から投射されるレーザ光及び光ディスク１の情報記録面からの情報レーザ光がブラシ毛束２１の基部で遮断されることを極力抑制できることとなる。このように光ピックアップにおける対物レンズ４のレーザ光及び情報レーザ光の経路幅がブラシ毛束２１の基部の幅より十分大きくなるように入射又は射出を行なうので、情報記録面の情報信号読出しに支障を来すことなくクリーニング動作を実行できることとなる。
【００２６】
なお、前記実施形態に係る光ピックアップレンズクリーナは払拭部２のブラシ毛束２１、２２における先端部を光ディスク１の回転方向に対して順方向に湾曲させて構成したが、このブラシ毛束２１、２２の先端を光ディスク１の回転方向に対して逆方向に湾曲させて構成することもできる。この場合には光ピックアップの対物レンズ４の表面に対してより確実に摺接してクリーニング能力がより強力なものとなる。
【００２７】
また、前記各実施形態に係る光ピックアップレンズクリーナは払拭部２をブラシ毛束２１、２２で形成することとしたが、図３（Ａ）、（Ｂ）、（Ｃ）、（Ｄ）のように他の素材又は他の植設構造とすることもできる。同図（Ａ）において払拭部２は先細状の先端が一方向に屈曲する弾性体で形成することもできる。この場合には対物レンズ４の表面に対するより密着性のよい摺接が可能となりクリーニング能力を向上させることができる。この弾性体の一例として発泡性のウレタン樹脂、シリコンゴム等がある。
【００２８】
同図（Ｂ）において払拭部２は、弾性材で形成される中空状筒体の先端を一方向に屈曲させて形成し、この弾性材として同図（Ａ）の場合と同様に発泡性ウレタン樹脂、シリコンゴム等で形成することもできる。この場合には弾性材で形成される筒体の中空部分で対物レンズ４に摺接する際に適度の弾性力で対物レンズ４の表面を摺接移動できることとなり、クリーニング効果を高く維持しつつ対物レンズ４に対する衝撃を小さくすることができる。
【００２９】
同図（Ｃ）において払拭部２は、ブラシ毛束２１をラジアル方向（半径方向）に所定幅植設する構成とすることもできる。この場合には、クリーニング動作時にスキップ動作とほぼ同じ方向にブラシ毛束が植設されていることから、対物レンズ４からのレーザ光を極力遮断することなく、より幅広く対物レンズ４に対するクリーニング動作が実行できる。
【００３０】
同図（Ｄ）においては払拭部２は、基部が光ディスク１の透明プラスチック基板１１に垂直に植設され、この基部より若干上方の部位を一方向に屈曲させて構成される。このように基部より若干上方部位を屈曲させ、先端部分を直線状に形成した場合においても前記各実施形態と同様に光ピックアップの対物レンズ４の表面に対してより確実に摺接してクリーニング能力がより強力なものとなる。
【００３１】
なお、前記実施形態においては情報の記録・再生が可能な光磁気ディスク例えばミニディスク等で説明したが、ケーシング内に記録・再生媒体が収納される構成であれば、相変化型光ディスク、２相ポリマ型光ディスク等についても適用することができる。
【００３２】
【発明の効果】
以上のように本発明においては、光ディスクの盤面に植設される払拭部をその先端がクリーニング動作時にケーシングの内壁に押圧状態で接触して一方向に弾性的に曲げられるように突出する長さで形成することにより、ケーシングの開口シャッター部において払拭部が開口領域からケーシングの外側まで突き出ることとなり、この突き出た払拭部が光ピックアップの対物レンズに十分接触してクリーニング動作を確実に行なう。特に、払拭部が開口シャッター部の端部から開口領域に向かって払拭部自体の弾性力により射出され、この射出時の衝撃力による強い摺接力でクリーニング動作を向上させる。また、払拭部が一方向にのみ弾性的に曲げられていることから、全体の弾性力が一方向に作用して折れ曲がりに対する強度を向上させることとなり、払拭部の必要以上の折れ曲がりを防止できると共に、払拭部のクリーニング作用を高く維持できるという効果を奏する。
また、本発明においては、払拭部の植設方向をスキップ領域の端部から内部側へ向けて形成することにより、スキップ領域外への倒れ込みを防止できることとなり、スキップ領域に隣接するトラック領域におけるクリーニング動作の説明等を確実に読出して再生できることとなり、クリーニング動作を途中で中断することなく円滑に実行できるという効果を有する。
さらに、本発明においては、払拭部を発泡体、弾性体の合成樹脂で形成しているので、光ピックアップに対するクリーニング時における衝撃を極力抑制しつつ、光ピックアップの対物レンズに対する摺接を確実にしてよりクリーニング能力を向上させるという効果を有する。
【図面の簡単な説明】
【図１】（Ａ）は本発明の一実施形態に係る光ピックアップレンズクリーナの収納状態断面図である。
（Ｂ）は同図（Ａ）における光ピックアップレンズクリーナのクリーニング状態断面図ある。
【図２】図１に記載の光ピックアップレンズクリーナにおける払拭部の植設詳細構成図である。
【図３】（Ａ）は本発明の他の実施形態に係る光ピックアップレンズクリーナにおける払拭部の詳細構成図である。
（Ｂ）は本発明の他の実施形態に係る光ピックアップレンズクリーナにおける払拭部の詳細構成図である。
（Ｃ）は本発明の他の実施形態に係る光ピックアップレンズクリーナにおける払拭部の詳細構成図である。
（Ｄ）は本発明の他の実施形態に係る光ピックアップレンズクリーナにおける払拭部の詳細構成図である。
【図４】（Ａ）は従来の光ピックアップレンズクリーナの外観斜視図である。
（Ｂ）は従来の光ピックアップレンズクリーナにおける要部拡大断面図である。
（Ｃ）は従来の光ピックアップレンズクリーナにおける要部拡大断面図である。
【図５】従来の他の光ピックアップレンズクリーナにおける断面図である。
【符号の説明】
１  光ディスク
２、２００  払拭部
３、取付穴
４  対物レンズ
１１  透明プラスチック基板
１２  反射層
１３  保護層
２１、２２、２０１  ブラシ毛束
１００  ケーシング
１００ａ  ローアーシェル
１００ｂ  アッパーシェル
１０１  凹部
１０２  駆動孔
１０４  開口シャッター部
３００  取付溝
【図１】
0003992321.tif 000002
【図２】
0003992321.tif 000003
【図３】
0003992321.tif 000004
【図４】
0003992321.tif 000005
【図５】
0003992321.tif 000006